(57)【要約】  湿潤紙及び乾燥紙用のディスペンサーは、湿潤紙用の第１容器及び乾燥紙用の第２容器を備えたハウジングとして形成されており、第１容器及び第２容器は別々のものであり、且つ、第１容器及び第２容器には、使用時にそれぞれの容器からその小出し開口を介して取り出されるように、そのそれぞれの紙が互いから隔離した状態で備えられている。容器は一緒に接続されて、ハウジングの円柱状形状を画成している。ハウジングは、そのそれぞれの容器から湿潤紙及び乾燥紙を別々に小出しすることを許容するように、既存のトイレットペーパーのホルダーのブラケットに接続可能である。
2007527282.tif 000002
【特許請求の範囲】
【請求項１】
湿潤紙及び乾燥紙を別々に小出しするディスペンサーであって、
湿潤紙用の第１容器及び乾燥紙用の第２容器により形成された共通のハウジングを備え、
前記第１容器及び前記第２容器は、前記ハウジングに、前記湿潤紙及び前記乾燥紙が別々に小出しされることが可能な、トイレットペーパーのロールの形状を与えるように形作られている、ディスペンサー。
【請求項２】
前記湿潤紙は、蒸発を防止するように前記第１容器内に包封されている、請求項１に記載のディスペンサー。
【請求項３】
前記ハウジングは円柱状をなし、且つ、既存のトイレットペーパーのホルダーを受け入れる中心開口を有する、請求項１に記載のディスペンサー。
【請求項４】
前記第１容器及び前記第２容器は、前記湿潤紙及び前記乾燥紙のそれぞれのための別々の小出し開口を有する、請求項１に記載のディスペンサー。
【請求項５】
前記湿潤紙及び前記乾燥紙は、それらが互いに接触することができないように、それぞれの容器内に隔離されている、請求項４に記載のディスペンサー。
【請求項６】
前記ハウジングは、トイレットペーパーのホルダー用のブラケットに係合して前記ハウジングを前記ブラケットに固定する手段を有する、請求項１に記載のディスペンサー。
【請求項７】
湿潤紙及び乾燥紙用のディスペンサーであって、
通常はトイレットペーパーのロール用のホルダーを回転可能に支持するように構成されたブラケットの穴に当該棚状体を固定する手段を有する棚状体と、
湿潤紙をそこから取り出すための開口を有する、湿潤紙用の第１容器と、
乾燥紙をそこから取り出すための開口を有する、乾燥紙用の第２容器とを備え、
前記第１容器及び前記第２容器は、前記棚状体の対向する面に取り付けられ、且つ、トイレットペーパーのロールに対応する円柱状の外形を協働して形成する部分円柱状形状のそれぞれの表面を有する、ディスペンサー。
【請求項８】
それぞれの容器は、前記棚状体に取り替え可能に取り付けられている、請求項７に記載のディスペンサー。
【請求項９】
前記第１容器及び前記第２容器は、前記棚状体に相互に交換可能に取り付けられている、請求項８に記載のディスペンサー。
【請求項１０】
それぞれの容器は、半円柱状形状のドームの形状を有し、且つ、前記棚状体に取り付けられたときに、前記ドームが前記円柱状の外形を形成する、請求項７に記載のディスペンサー。
【請求項１１】
それぞれの容器は、その中にある紙がそこから小出しされることが可能な開口を有する、請求項７に記載のディスペンサー。
【請求項１２】
前記湿潤紙を備える前記第１容器は、閉じた位置にて前記容器の前記開口を密封する開放可能なカバーを有する、請求項１１に記載のディスペンサー。
【請求項１３】
前記棚状体の対向する側部にて係合可能なロッキング部材であって、前記ブラケットを包囲し、且つ、当該ディスペンサーをその場所で保持するように背部壁に突き当たる、側方に延びるタブを有するロッキング部材を備えた、請求項７に記載のディスペンサー。
【請求項１４】
前記ロッキング部材は、前記ブラケットの前記穴に前記棚状体を固定する手段と当該ロッキング部材との間の間隔を調整するように前記棚状体に調節可能に係合され、前記手段が前記ブラケットの前記穴に固定され且つ前記タブが前記背部壁に突き当たったときに、前記棚状体が前記ブラケットにしっかりと係合されるようになっている、請求項１３に記載のディスペンサー。
【請求項１５】
前記ロッキング部材及び前記棚状体は、前記棚状体に関して前記ロッキング部材を調節可能とするために、舌状体及びラチェットを有する、請求項１４に記載のディスペンサー。
【請求項１６】
それぞれの容器は、それぞれの前記ドームが取り付けられるデッキを有し、前記デッキは、その前部及び背部にて前記ドームを超えて延びており、前記棚状体は、それぞれの容器のデッキの背部に係合する後縁部と、それぞれの容器のデッキの前部を係止するラッチ手段とを有する、請求項１０に記載のディスペンサー。
【請求項１７】
前記ブラケットの前記穴に前記棚状体を固定する前記手段は、前記棚状体の側部にある弾性翼部に固定されたスタッドを備え、前記翼部は、前記ブラケットの前記穴に係合するように前記スタッドが前記ブラケット上を滑動するときに弾性的に移動し、その後、前記スタッドが前記ブラケットの前記穴に入ったときに、前記翼部がその元の位置に戻る、請求項７に記載のディスペンサー。
【請求項１８】
前記スタッドは、前記ブラケットに係合して前記ブラケットから離れるように前記翼部を弾性的に移動させるカム面を有する、請求項１７に記載のディスペンサー。
【請求項１９】
前記棚状体は、前記翼部が弾性的に移動するときに前記翼部を収容する凹部を有する、請求項１８に記載のディスペンサー。
【請求項２０】
湿潤紙及び乾燥紙用のディスペンサーであって、
湿潤紙用の第１容器及び乾燥紙用の第２容器を有するハウジングを備え、前記第１容器及び前記第２容器は別々のものであり、且つ、前記第１容器及び前記第２容器には、使用時にそれぞれの容器からその小出し開口を介して取り出されるように、そのそれぞれの紙が互いから隔離した状態で備えられており、
前記容器は、前記ハウジングを画成するように一緒に連結されており、
前記ハウジングをトイレットペーパーのホルダーのブラケットに接続する手段であって、前記第１容器及び前記第２容器を前記ブラケットに固定し、且つ、そのそれぞれの前記小出し開口から前記湿潤紙及び前記乾燥紙を別々に小出しすることを許容するように、前記ハウジングを前記ブラケットに接続する手段を備えた、ディスペンサー。
【請求項２１】
前記容器は、前記ハウジングが前記ブラケットに接続されたときに、その位置でしっかりと固定される、請求項２０に記載のディスペンサー。
【請求項２２】
前記容器は、前記ハウジングの円柱状の外形を与えるように形作られている、請求項２１に記載のディスペンサー。
【請求項２３】
それぞれの容器は、その中にある紙がそこから小出しされることが可能な開口を有する、請求項２０に記載のディスペンサー。
【請求項２４】
前記湿潤紙を備える前記第１容器は、閉じた位置にて前記容器の前記開口を密封する開放可能なカバーを有する、請求項２３に記載のディスペンサー。
【請求項２５】
前記湿潤紙からの水分の蒸発を防止するバリヤを備え、前記バリヤは、前記湿潤紙用の容器の開口を覆う、請求項２４に記載のディスペンサー。
【請求項２６】
前記バリヤは、前記湿潤紙用の容器の前記開口へのアクセスを与えるスリットを有する薄い撓みやすいフィルムを備える、請求項２５に記載のディスペンサー。
【請求項２７】
当該カバーが閉じられたときに前記湿潤紙用の容器の前記開口を密封する開放可能なカバーをさらに備えた、請求項２６に記載のディスペンサー。
【請求項２８】
前記フィルムは、前記カバーのフレームと前記湿潤紙用の容器との間に挟み込まれる、請求項２６に記載のディスペンサー。
【請求項２９】
前記第１容器及び前記第２容器は、当該容器が互いに係合したときに整合する穴を有し、且つ、前記ハウジングを前記ブラケットに係合する前記手段は、前記穴に係合される、弾性的に入れ子式で伸縮するホルダーであって、前記ブラケットの穴に弾性的に係合するためのホルダーを備える、請求項２０に記載のディスペンサー。
【請求項３０】
前記ハウジング上に設けられた、側方に延びるタブであって、前記ブラケットに関しての前記ハウジングの回転に対抗するように前記ブラケットに係合するためのタブを備える、請求項２９に記載のディスペンサー。
【請求項３１】
共通のディスペンサーから湿潤紙及び乾燥紙を別々に小出しする方法であって、
湿潤紙を収容する第１容器であって、前記湿潤紙をそこから取り出すことが可能な開口を有する第１容器を提供すること、
乾燥紙を収容する第２容器であって、前記乾燥紙をそこから取り出すことが可能な開口を有する第２容器を提供すること、
前記容器を組み立て、且つ、通常はトイレットペーパーのロールを支持するのに使用されるブラケットの穴に取り付けること、
前記第１容器及び前記第２容器を、その組立体において、それらの開口が前方へ向くような状態で取り外し可能に接続すること、及び、
前記容器が前記ブラケットに取り付けられたときに前記容器が円柱状形状を形成するように、前記容器に半円柱状形状のドームを形成することを含む方法。
【請求項３２】
湿潤紙用の前記第１容器は、前記湿潤紙のための密封封止体を形成する、請求項３１に記載の方法。
【請求項３３】
前記容器が前記組立体の上部及び底部に相互に交換可能に取り付けられるように、前記容器を形成することを含む、請求項３１に記載の方法。
【請求項３４】
円柱状形状の前記組み立てられた容器は、壁に取り付けられたホルダーの凹部に挿入される外形を有する、請求項３１に記載の方法。
【発明の詳細な説明】
【技術分野】
【０００１】
発明の分野
本発明は、湿潤紙及び乾燥紙を別々に小出しするディスペンサーに関する。
【０００２】
特に、本発明は、湿潤紙及び乾燥紙を互いに分離した状態に保つように湿潤紙及び乾燥紙のために別個の容器が設けられたディスペンサーに関する。
【０００３】
本発明は、また、このようなディスペンサーを組み立てる方法に関する。
【背景技術】
【０００４】
先行技術の背景
以下の特許は、ディスペンサーから紙を小出しすることに関するものである。
米国特許第４，１０８，５１３号（ランダー）
米国特許第４，９８４，５３０号（ダットン）
米国特許第５，６６０，３１３号（ニューボルド）
米国特許第５，６９７，５７７号（オグデン）
米国特許第５，９８８，５６１号（メレ）
米国特許第６，５３７，６３１号（リベラ）
米国特許第６，６５９，３９１号（フォークス）
【０００５】
ニューボルドは、予め湿らせた紙が、既存のトイレットペーパーのホルダーに取り付けられるように構成されたディスペンサー内にあるものを示している。
【０００６】
リベラ、オグデン、フォークス及びメレは、累積的になされたものであり、類似の構成を示している。ランダーは、二つの別個のロールからトイレットペーパーを小出しするものを示している。ダットンは、共通のディスペンサーから別々に搬送される二つのペーパーのロールを示している。
【特許文献１】米国特許第４，１０８，５１３号明細書
【特許文献２】米国特許第４，９８４，５３０号明細書
【特許文献３】米国特許第５，６６０，３１３号明細書
【特許文献４】米国特許第５，６９７，５７７号明細書
【特許文献５】米国特許第５，９８８，５６１号明細書
【特許文献６】米国特許第６，５３７，６３１号明細書
【特許文献７】米国特許第６，６５９，３９１号明細書
【発明の概要】
【０００７】
本発明の目的は、湿潤紙及び乾燥紙のために別個の容器が利用され、且つ、組み立てられたときに、それらの容器が、既存のトイレットペーパーのロールに対応する輪郭を形成する、湿潤紙及び乾燥紙用のディスペンサーを提供することにある。
【０００８】
本発明の他の目的は、容器が空になったときに容器が容易に取り替えられるディスペンサーを提供することにある。
【０００９】
本発明のさらなる目的は、既存のトイレットペーパーのロールを置き換えることが可能で、且つ、ディスペンサーを取り付けるために同様のブラケット又はラグを使用することが可能なディスペンサーを提供することにある。
【００１０】
これらの及びさらなる目的を達成するため、本発明は、湿潤紙及び乾燥紙を別々に小出しするディスペンサーであって、湿潤紙用の第１容器及び乾燥紙用の第２容器により形成された共通のハウジングを備え、第１容器及び第２容器は、前記ハウジングに、湿潤紙及び乾燥紙が別々に小出しされることが可能な、トイレットペーパーのロールの形状を与えるように形作られている、ディスペンサーを提供する。
【００１１】
本発明の一つの特徴によれば、紙は、蒸発を防止するように湿潤紙用の容器内に包封されている。
【００１２】
他の特徴によれば、第１容器及び第２容器は、湿潤紙及び乾燥紙のそれぞれのための別々の小出し開口を有している。
【００１３】
他の特徴によれば、湿潤紙及び乾燥紙は、それらが互いに接触することができないように、それぞれの容器内に隔離されている。
【００１４】
他の特徴によれば、前記ハウジングは、既存のトイレットペーパーのホルダー用のブラケットに係合してハウジングをブラケットに固定する手段を有している。
【００１５】
さらに、本発明によれば、通常はトイレットペーパーのロール用のホルダーを支持することが可能なブラケットのボアに当該棚状体を固定する手段を有する棚状体が考えられる。湿潤紙及び乾燥紙のために第１容器及び第２容器が設けられている。容器は、そこから紙を取り出すためのそれぞれの開口を有している。容器は、棚状体の対向する面に取り付けられ、且つ、トイレットペーパーのロールに似た形をとる円柱状の外形を協働して形成する部分円柱状形状のそれぞれの表面を有している。
【００１６】
本発明の他の特徴によれば、それぞれの容器は、棚状体に取り替え可能に取り付けられている。
【００１７】
さらに、本発明によれば、湿潤紙用の第１容器及び乾燥紙用の第２容器を有するハウジングを備え、第１容器及び第２容器は別々のものであり、且つ、第１容器及び第２容器には、使用時にそれぞれの容器からその小出し開口を介して取り出されるように、そのそれぞれの紙が互いから隔離した状態で備えられることが考えられる。容器は一緒に接続されて、ハウジングの円柱形状を画成している。ハウジングは、ハウジングをブラケットに固定し、且つ、容器のそのそれぞれの前記小出し開口から湿潤紙及び乾燥紙を別々に小出しすることを許容するように、トイレットペーパーのホルダー用の接続ブラケットに接続されている。
【００１８】
本発明のさらなる特徴によれば、第１容器及び第２容器は、当該容器が互いに係合したときに、ブラケットに係合されることが可能な、弾性的に入れ子式で伸縮するロッドを受け入れる、整合したボアを有している。
【００１９】
本発明のさらなる特徴によれば、側方に延びるタブが、ブラケットに関してのハウジングの回転に対抗するようにブラケットに係合するために設けられている。
【００２０】
さらに、本発明によれば、共通のディスペンサーから湿潤紙及び乾燥紙が別々に小出しされ得る方法が提供され、この方法は、湿潤紙を収容する第１容器であって、湿潤紙をそこから取り出すことが可能な開口を有する第１容器を提供する工程と、乾燥紙を収容する第２容器であって、乾燥紙をそこから取り出すことが可能な開口を有する第２容器を提供する工程と、容器を組み立て、且つ、通常は既存のトイレットペーパーのロールを支持するのに使用されるブラケットのボアに取り付ける工程と、第１容器及び第２容器を、その組立体において、それらの開口が前部からアクセス可能である状態で取り外し可能に接続する工程と、容器がブラケットに取り付けられたときに容器が円柱状形状を形成するように、容器に半円柱状形状のドームを形成する工程とからなる方法により達成される。
【００２１】
本発明のさらなる特徴によれば、湿潤紙用の第１容器は、湿潤紙のための密封封止体を形成している。
【００２２】
本発明のさらなる特徴によれば、容器が組立体の上部及び底部に相互に交換可能に取り付けられるように、容器が形成されている。
【発明を実施するための形態】
【００２３】
図１には、本発明のディスペンサー１の第１の実施形態であって、湿った紙（以下、湿潤紙として言及する）を収容する容器２と、トイレットペーパーのような乾燥紙を収容する容器３とを備えたものが見られる。湿潤紙及び乾燥紙は、それぞれの開口（後述する）を通してそこから小出しされるように、そのそれぞれの容器内に支持されている。
【００２４】
容器２，３は、それぞれ、半円柱形状をなしており、且つ、一緒に接続されて、既存のトイレットペーパーのロールに似た形をとる円柱状形状のケーシング又はハウジングとしてのディスペンサー１を形成している。このことは、ハウジングが、通常はトイレットペーパーのロールを支持するのに使用される既存の支持構造（後述する）に装着されることを可能にするであろう。
【００２５】
容器２及び３は、ディスペンサー１を既存のブラケット又はラグ５，６（図２）（通常はトイレットペーパーのロール用の既存のロッドを支持するもの）に接続するものとして機能する棚状体４上に取り付けられている。
【００２６】
ラグ又はブラケットは、多くの形態をとることが可能な支持体に固定されている。図示化のために、本発明は、既存の凹形ホルダー７（壁の穴に固定され、且つ、壁の穴の縁部に当たるように構成されたフレーム８を有するもの）を参照して説明される。ホルダー７用の壁は、キャビネットの壁や、洗面所の壁、又はディスペンサー１が装着される他の場所であってもよい。ラグ５，６は、詳細な説明の必要のない、当該分野で良く知られた他の方法により、支持壁に固定されるとよい。しかしながら、全ての場合において、ラグ５，６は、通常はトイレットペーパーのロールを保持するロッドを支持するように、支持壁から突出している。
【００２７】
湿潤紙用の容器２は、「おしぼり」等のような湿潤紙の、枚葉の又は連続したシートを供給することを意図したものであり、これに対し、容器３は、既存のトイレットペーパー又は枚葉のシートの形態の乾燥紙を供給することを意図したものである。湿った紙すなわち湿潤紙は、最終的な用途に応じて薬剤や洗浄剤、芳香剤等を含有することが可能な液体（一般的には水をベースにしたもの）によって湿らされることが可能である。
【００２８】
図２〜図５を参照すると、棚状体４は、前縁部１０、後縁部１１、及び側縁部１２及び１３を有する平坦な部材として形成されていることが分かる。前縁部１０には、容器２，３（後で説明する）を係止するために互いにずれたラッチ部材１４，１５が形成されている。後縁部１１において、棚状体には後部壁１８が形成され、この後部壁１８からは、棚状体４の上部表面及び底部表面のところで棚状体に重なるようにフック１７がそれぞれ延びている。棚状体の上部表面のところのフックは、１７として視認可能であり、且つ、棚状体の底部表面のところのフックは、棚状体の上部表面のところのフック１７と同一で且つ当該フック１７から離間している。棚状体４には、その後縁部のところにキャステレーション１６が形成されており、且つ、後部壁１８が棚状体４の背部を封鎖している。
【００２９】
棚状体４には、側縁部１２，１３のところに係合部材２０，２１が形成されており、且つ、この係合部材２０，２１は、後部壁１８（図９に最も良く示されている）に一体化されている。係合部材２０，２１は、棚状体４をラグ５，６に固定する手段として機能するものである。
【００３０】
図４から明らかなように、それぞれの係合部材２０，２１は、棚状体の後部壁１８に一体化された部分２２と、部分２２から延びる翼部２３とを有し、この翼部２３は、側方への弾性的な移動を可能にするように翼部にある程度の弾性を与えるために、そこから外側へ向かって側方へずれている。翼部２３には、スロット２４が設けられている。
【００３１】
棚状体４がラグ５，６に係合されることを可能にするために、複数の異なったサイズのスタッド２５が設けられており、これらのスタッド２５は、ラグ５，６のめくらボア又は穴２６に嵌合されることが意図されている。
【００３２】
めくらボア２６に嵌合されるスタッド２５の特定のサイズを選択した後、スタッドの背面に設けられた一対の弾性ロッキングつめ２７が、スロット２４にパチンとはまり込み、スロット２４の上縁部及び下縁部をロックする。スタッド２５は、後方に突出した三角形形状のカム２９が設けられた、外側に突出したＴ字形状の部分２８を有している。
【００３３】
棚状体４の対向する側部のところに一対のタブロック３０が設けられており、且つ、この一対のタブロック３０は、係合部材２０，２１の部分２２に取り付けられている。図７においては、棚状体の左側側部のところにあるタブロック３０が係合部材２０に取り付けられる用意がなされている一方で、棚状体４の右側縁部９のところにあるタブロック３０が係合部材２１に取り付けられている様子が示されている。
【００３４】
それぞれのタブロック３０には、それぞれの係合部材２０，２１の部分２２の上部縁部及び底部縁部に滑動可能に掛かるように溝３１が設けられている。部分２２の外面には、一連のラチェット３２が形成されており、且つ、タブロック３０は、ラチェットにロッキング可能に係合するようにその端部のところに内側に向くロッキング歯３４が設けられた、柔軟な舌状体３３を有している。
【００３５】
（図９及び図１０に示されているように）タブロック３０が係合部材２０，２１の部分２２に装着されると、棚状体は、ラグ５，６に装着される用意が整う。このことを達成するため、棚状体の後縁部１１は、ホルダー７の穴に挿入され、これにより、カム２９がラグ５，６に接触するとともに翼部２３を内側へ付勢する。棚状体には、翼部の内側への移動を受け入れるように翼部２３に対向するスロット３５が設けられている。スタッド２５の外側に突出した部分２８が、ラグ５，６のめくらボア２６に達したときに、当該突出した部分２８は、めくらボアにパチンとはまり込み、棚状体がラグに固定される。タブロック３０は、それから、タブロックの外側に向くフランジ３６が図１２及び図１３に示されているようにホルダー７のフレーム８に当接するまで、後方へ滑動移動する。舌状体３３のロッキング歯３４は、この時点で、ラチェット３２に係合し、且つ、棚状体は、ラグにしっかりと固定されている。
【００３６】
容器１，２は、この時点で、後で説明するように組立体を完成するために棚状体４に固定される準備が整ったことになる。
【００３７】
図１４は、乾燥紙用の容器３の分解図であり、この容器３は、ドーム形状の半円柱状のカバー４０と、カバー４０がその上に形成される平坦な基材４１とを有している。容器３は、好ましくは、射出成形されることが可能な薄いプラスチック材料から作られている。乾燥紙（図示せず）は、交互に挟み込まれるか、そうでなければ接続されており、且つ、当該紙が枚葉のシート又は連続したシートのいずれかとして小出し開口４２を介して抜き取られることが可能であるように、容器内に配置されている。小出し開口４２は、取り除くことが可能なシート形態の剥離カバー４３（容器が装着されて最初に使用される用意がされたときにカバー４３を取り除くことを可能にするタブ４４を有するもの）によって閉鎖されている。
【００３８】
基材４１は、カバー４０の周りに延びるようにカバー４０の底部縁部よりもその範囲が僅かに大きい。基材４１は、基材４１と同一のサイズを有するデッキ４５上に固定されている。基材及びデッキは互いに一体的に形成されていたり、カバー４０と一体化された単一の部品として作られていてもよい。容器３の前縁部には、ラッチ部材１５に係合するように構成されたスロット４６が形成されている。
【００３９】
容器３の棚状体４上への組み付けのためには、図１８及び図１９が参照される。図１８及び図１９から、容器の基材及びデッキの後縁部がフック１７の下方にて係合され、その後、スロット４６がラッチ部材１５に係止されることが分かる。
【００４０】
図１６及び図１７は、湿潤紙用の容器２の構造を示したものであるが、この構造が、乾燥紙用の容器の構造と類似したものであることは明らかである。しかしながら、湿潤紙用の容器は、湿潤紙からの液体の蒸発を防止するために気密状態で閉じられなければならない。この目的のため、閉鎖可能で且つ密封可能なドアアッセンブリ５０が設けられている。乾燥紙用の容器３のように、湿潤紙用の容器２は、半円柱状のカバー５１、基材５２及びデッキ５３を有しており、且つ、組み立てられた湿潤紙用の容器２は、図１７に示されている。図１７においては、ドアアッセンブリ５０のドア５４が、湿潤紙のシートをそこから取り出すことが可能な小出し開口５５を露出させるために開いた位置で示されている。ドア５４、及びそれにドア５４が枢動可能に取り付けられたフレーム５６には、ドアが閉鎖されたときにドアアッセンブリが気密状態で密封されるように、ドア及びフレームの開口の全周に亘って延びるシール５７が設けられている。カバー５１の開口５５は、容器からの湿潤紙の取り出しを促進するために、容器３の開口４２よりも大きい。
【００４１】
乾燥紙用の容器３が装着されると、図１９に示されている容器３のそれと同様にして、湿潤紙用の容器２が棚状体４に装着される。
【００４２】
容器の装着の順序は、逆行させることが可能である。
【００４３】
湿潤紙用の容器３が棚状体の上部に取り付けられる様子が示されているが、棚状体４を反転し、且つ、乾燥紙用の容器３を棚状体の上部へ取り付けるとともに湿潤紙用の容器を棚状体の底部へ取り付けることにより、容器の位置を交換することもまた可能である。
【００４４】
ラッチ部材１５，１６が容器の前縁部にあるそれぞれのスロット４６に係合するように互いに僅かにずれている（スロット４６もそれに応じてずれている）ことに留意すべきである。これにより、容器は、棚状体４に関して唯一つの配置でもって挿入され得ることとなる。従って、いったん棚状体４が装着されると、容器の位置（上部又は底部）は固定される。しかしながら、容器の位置を逆にすることが望ましいのであれば、棚状体を取り除いて、先に述べたようにしてそれを反転させる必要があるだけである。
【００４５】
以上から明らかなように、容器が空になったときには、空の容器の前部の係止を解除し、且つ、棚状体の後縁部のところにあるフック１７から後縁部を抜き取るように容器を前方へ滑動させることにより、充填されたものに容易に交換される。充填された容器は、それから、逆の操作により装着される。
【００４６】
紙を取り出すための容器の開口が容器の前部に示されているが、開口は、上部の容器の上部や、下部の容器の底部といった他の位置に位置付けられることも可能である。
【００４７】
次に、本発明に係る第２の実施形態を示す、図２０〜図２２を参照する。
【００４８】
第２の実施形態は、それが湿潤紙用の容器及び乾燥紙用の容器（組み立てられたときに、既存のトイレットペーパーのロールに類似した円柱状の構成を形成するもの）を備えている点で、第２の実施形態と類似している。
【００４９】
この実施形態は、その棚状体をなくし、且つ、トイレットペーパーのロール用の既存のホルダーと類似した又は同一のロッド又はホルダーを用いる点で、第１の実施形態とは異なっている。
【００５０】
第１の実施形態と同一の要素を指し示すために、同一の参照符号が使用される。
【００５１】
図２０は、湿潤紙用の容器１０２及び乾燥紙用の容器１０３を示している。湿潤紙用の容器１０２は、湿潤紙を含む、閉じた本体であり、先に述べた実施形態のように、容器内に紙がどのように詰められているのかに応じて連続的な態様又はシートごとの態様のいずれかにより開口１０４を介して湿潤紙を抜き取ることが可能な構成をとる。容器１０２は、完成した容器１０２を形成するように一緒に滑動可能に嵌め合わされる二つの部品１０２ａ及び１０２ｂから作られている。これによって、湿潤紙用の容器は、それが空になったときに補充がなされる。完成した容器１０２は、段差１０６を備えた、閉じた底部壁１０５を有している。容器１０２の対向する側部のところで下方へ向かって一対のラグ１０７が延びており、且つ、そのラグは、互いに整列した穴１０８を有している。開口１０４のところには、閉鎖可能なドアアッセンブリ５０が取り付けられている。
【００５２】
乾燥紙用の容器１０３もまた閉じた本体を有し、且つ、それは、容器内に紙がどのように詰められているのかに応じてシートごとの態様又は連続的な態様のいずれかにより開口１０９（図２２参照）を介して紙を取り出すことが可能な構成でもって、乾燥紙を含んでいる。容器１０３もまた、完成した容器１０３を形成するように一緒に滑動可能に嵌め合わされる二つの部品１０３ａ及び１０３ｂから作られている。これによって、乾燥紙用の容器は、それが空になったときに補充がなされる。乾燥紙用の容器１０３は、その側壁のところに、湿潤紙用の容器のラグ１０７に合致するＵ字形状の切欠きを有しており、容器が図２２に示されているように互いに当接したときにラグを受け入れるようになっている。容器の上部壁には、段差１０６に関係がある、湿潤紙用の容器の穴１１３に嵌り合うこととなる、隆起したブロック状の部分１１２が形成されている。容器が互いに嵌り合うと、ブロック状の部分１１２は、穴１１３に嵌り合う。ブロック状の部分１１２は、それを通って延びるボア１１４を有しており、このボア１１４は、容器が互いに嵌り合ったときにラグ１０７の穴１０８に整列する。
【００５３】
トイレットペーパーのロール用の既存のホルダーに類似した又はそれと同一の、入れ子式で伸縮するロッド又はホルダー１１５は、容器１０２及び１０３を一緒に保持するように、整列した穴１０８及びボア１１４に係合している。
【００５４】
入れ子式で伸縮するホルダー１０５は、それから、既存のトイレットペーパーのホルダーを取り付けるのと同様の方法で、すなわち、ホルダーの端部がラグ５及び６のめくらボアに係合するまでホルダーの端部を内側へ入れ子式で縮めることにより、ラグ５及び６に装着される。
【００５５】
組み立てられた容器が回転しないように固定するため、ラグ１０７には、外側に突出した、互いに離間したタブ１１６が設けられており、このタブ１１６により、上部及び底部にてラグ５及び６に係合し、且つ、ラグに対しての容器の組立体の回転を防止するようになっている。
【００５６】
図２４及び図２５は、湿潤紙からの液体の蒸発をさらに防止するように構成された、図１７の湿潤紙用の容器２の一変更例を示している。
【００５７】
図２４に示されているように、追加の水分バリヤが容器２の開口５５を覆うように形成されている。水分バリヤは、０．００３インチ〜０．００５インチのオーダーの厚さを持つ、薄く、柔らかく、撓みやすいプラスチックフィルム１２０の形態をとっている。フィルム１２０は、開口５５を覆うフィルム内にて水平に延びるスリット１２１を有している。フィルム１２０は、接着剤又は他の手段により、容器２のカバー及びドアアッセンブリ５０のフレーム５６に固定され、これにより、フィルム１２０は、図２５に示されているように、フレーム５６と容器２のカバーとの間に挟み込まれている。フレーム５６には、開口１２３（それを通してフィルム１２０のスリット１２１にアクセス可能であるもの）を備えたシールドを形成する不透過性膜１２２が設けられている。これにより、使用者の手をフレームの開口１２３を介して挿入し、且つ、取り出されるべき湿潤紙の次のシートを把持するようにスリット１２１を介して届かせることにより、湿潤紙が容器２から使用者により取り出される。水分の蒸発は、シール５７に加えて、フィルム１２０によっても防止される。
【００５８】
当業者にとっては、開示された実施形態についての多数の変更例及び変形例が明らかであろうが、これらは、従属請求項内で規定されているならば、本発明の範囲及び精神内に入るものである。従って、例えば、ハウジングは円柱状のものとして記載されているが、僅かに完全な円形でなかったり、本発明の範囲内の他の形状であってもよい。
【図面の簡単な説明】
【００５９】
【図１】本発明に係る湿潤紙及び乾燥紙用のディスペンサーの第１の実施形態の正面斜視図。
【図２】ディスペンサーのホルダーから分離されたディスペンサーの棚状体を示す分解図。
【図３】ホルダーに支持された棚状体を示す図。
【図４】支持スタッドを受け入れようとする状態にある棚状体を示す図。
【図５】スタッドが装着された、図４の棚状体を示す図。
【図６】ディスペンサーのタブロックの斜視図。
【図７】左側縁部のタブロックについて棚状体へ装着される用意がなされている一方で、右側縁部のタブロックが棚状体へ装着されている、棚状体を示す図。
【図８】タブロックの棚状体への係合状態を示す、棚状体の左側側部の一部拡大平面図。
【図９】棚状体に装着されたタブロックを示す背面図。
【図１０】タブロックが装着され且つホルダーへ挿入される準備が整った棚状体を示す図。
【図１１】タブロックが引っ込められた状態にある、ホルダーに支持された棚状体を示す側面図。
【図１２】ホルダーのフレームに対して押し込まれた後のタブロックを示す図。
【図１３】図１２の斜視図。
【図１４】乾燥紙用の容器の分解図。
【図１５】組み立てられた乾燥紙用の容器を示す図。
【図１６】湿潤紙用の容器の分解図。
【図１７】組み立てられた湿潤紙用の容器を示す図。
【図１８】乾燥紙用の容器の装着の方法を示す図。
【図１９】湿潤紙用の容器の装着の方法を示す図。
【図２０】第２の実施形態の湿潤紙用及び乾燥紙用の容器を下方から見た分解正面斜視図。
【図２１】上方から見た、図２０と類似の図。
【図２２】ホルダーに装着されようとして組み立てられた第２の実施形態の湿潤紙用及び乾燥紙用の容器を示す図。
【図２３】ホルダーに装着された第２の実施形態の容器を示す図。
【図２４】図１７に図示された湿潤紙用の容器の一変更例の分解図。
【図２５】図２４の組み立てられた容器を示す図。
【図１】
2007527282.tif 000003
【図２】
2007527282.tif 000004
【図３】
2007527282.tif 000005
【図４】
2007527282.tif 000006
【図５】
2007527282.tif 000007
【図６】
2007527282.tif 000008
【図７】
2007527282.tif 000009
【図８】
2007527282.tif 000010
【図９】
2007527282.tif 000011
【図１０】
2007527282.tif 000012
【図１１】
2007527282.tif 000013
【図１２】
2007527282.tif 000014
【図１３】
2007527282.tif 000015
【図１４】
2007527282.tif 000016
【図１５】
2007527282.tif 000017
【図１６】
2007527282.tif 000018
【図１７】
2007527282.tif 000019
【図１８】
2007527282.tif 000020
【図１９】
2007527282.tif 000021
【図２０】
2007527282.tif 000022
【図２１】
2007527282.tif 000023
【図２２】
2007527282.tif 000024
【図２３】
2007527282.tif 000025
【図２４】
2007527282.tif 000026
【図２５】
2007527282.tif 000027